(57)【要約】【課題】押出したゴムの幅方向端部を切断して所定形状のゴム押出物を得つつ、端部ゴムを連続的に押出機の内部に戻して使用する際に、ゴムを精度よく所定形状に切断でき、端部ゴムを円滑に押出機に戻せるゴム押出物の製造装置及び方法を提供する。【解決手段】押出口５の前端で押出口５の高さ方向に張設した金属線６を境界にして、押出口５を中央部領域５ａと端部領域５ｂとに区画し、押出口５の高さ方向に対置した剛体の支持部７を、押出口５にオーバラップさせずに金属線６の前方側に当接させ、端部領域５ｂの最大高さを中央部領域５ａの最大高さよりも大きく、端部領域５ｂの単位幅方向寸法当たりの開口面積を中央部領域５ａの単位幅方向寸法当たりの開口面積よりも大きくして、押出したゴムＲを金属線６で切断して中央部領域５ａを通過させて所定形状のゴム押出物Ｒｍにして端部領域５ｂを通過させて端部ゴムＲｅにする。【選択図】図４
2018199282.tif 000002
【特許請求の範囲】
【請求項１】
ゴムを押し出す押出機と、この押出機の押出口の前方で前記押出口の幅方向端部に配置された切断具とを備えて、前記押出口からゴムが押し出されつつ前記切断具により切断されて所定形状のゴム押出物と端部ゴムとに分割され、前記所定形状のゴム押出物を連続的に前方に搬送する搬送機構と、前記端部ゴムを連続的に前記押出機の内部に戻すリターン機構とを有するゴム押出物の製造装置において、
前記切断具が、前記押出口の前端で前記押出口の高さ方向に延在して張設される金属線であり、前記金属線を境界にして前記押出口が幅方向中央部を含む中央部領域と、幅方向中央部を含まない端部領域とに区画され、
前記押出口の高さ方向に対向して配置される剛体の支持部を有し、それぞれの前記支持部は前記押出口の正面視で前記押出口にオーバラップしない位置に設置されて前記金属線の前方側に当接し、
前記端部領域の高さ方向の最大寸法が前記中央部領域の高さ方向の最大寸法よりも大きく、かつ、前記端部領域の単位幅方向寸法当たりの開口面積が前記中央部領域の単位幅方向寸法当たりの開口面積よりも大きく設定されていて、
前記押出口から押し出されたゴムが前記金属線によって切断されて、前記中央部領域を通過したゴムが前記所定形状のゴム押出物に成形され、前記端部領域を通過したゴムが前記端部ゴムになる構成にしたことを特徴とするゴム押出物の製造装置。
【請求項２】
正面視で前記端部領域の幅方向端部が、円状または楕円状の開口になっている請求項１に記載のゴム押出物の製造装置。
【請求項３】
前記金属線の延在方向の前記押出口の高さ方向に対する角度および前記押出口に対する前記金属線の幅方向位置を変更可能な構成にした請求項１または２に記載のゴム押出物の製造装置。
【請求項４】
前記支持部が前記押出口の幅方向に延在している請求項１〜３のいずれかに記載のゴム押出物の製造装置。
【請求項５】
前記端部領域が前記中央部領域の幅方向両側に形成されている請求項１〜４のいずれかに記載のゴム押出物の製造装置。
【請求項６】
前記押出口の上方で前方に突設された係止部を有し、一本の前記金属線が前記係止部に掛け回されて折り返されることにより、前記押出口の幅方向両端部で前記押出口の高さ方向に対して傾斜して延在している請求項５に記載のゴム押出物の製造装置。
【請求項７】
押出機の押出口からゴムを押出しつつ、このゴムの幅方向端部を切断することにより、所定形状のゴム押出物と端部ゴムとに分割し、前記端部ゴムを連続的に前記押出機の内部に戻して使用するゴム押出物の製造方法において、
前記押出口の押出方向前端で前記押出口の高さ方向に金属線を延在させて張設することにより、前記金属線を境界にして前記押出口を、幅方向中央部を含む中央部領域と、幅方向中央部を含まない端部領域とに区画して、前記押出口の高さ方向に対向して剛体の支持部を配置し、それぞれの前記支持部を前記押出口の正面視で前記押出口にオーバラップしない位置に設置して前記金属線の押出方向前方側に当接させ、前記端部領域の高さ方向の最大寸法を前記中央部領域の高さ方向の最大寸法よりも大きく、かつ、前記端部領域の単位幅方向寸法当たりの開口面積を前記中央部領域の単位幅方向寸法当たりの開口面積よりも大きく設定して、
前記押出口から押し出したゴムを前記金属線によって切断し、前記中央部領域を通過させたゴムを前記所定形状のゴム押出物に成形し、前記端部領域を通過させたゴムを前記端部ゴムにすることを特徴とするゴム押出物の製造方法。
【発明の詳細な説明】
【技術分野】
【０００１】
本発明は、押出機から押出したゴムの幅方向端部を切断して所定形状のゴム押出物を得るとともに、切断した端部ゴムを連続的に押出機の内部に戻して使用する際に、ゴム押出物を精度よく所定形状に切断することができ、かつ、切断した端部ゴムを円滑に押出機に戻し易くしたゴム押出物の製造装置および方法に関するものである。
【背景技術】
【０００２】
タイヤ等のゴム製品を製造する際には、ゴム押出機によって未加硫ゴムを押出す押出工程がある。この押出工程では、所定形状のゴム押出物を得る必要があるため、押出機から押出したゴムの幅方向端部をカッター刃やワイヤ等によって切断して所定形状にする方法が提案されている（特許文献１参照）。切断された端部ゴムは連続的に押出機の内部に戻されて、再度押し出されて使用される。
【０００３】
押出機の押出口の幅方向端部は、押出口を形成する上下壁面および一方側壁面により囲まれている（三方が壁面により囲まれている）。幅方向中央部は、押出口を形成する上下壁面により囲まれている（二方が壁面により囲まれている）。そのため、押出口を形成する壁面に起因して、押し出すゴムＲに作用する流動抵抗は、押出口の幅方向中央部に比して幅方向端部において大きくなる。したがって、押し出される端部ゴムにおいては、幅方向中央側が幅方向端部側よりも流速が速くなる。これに伴い端部ゴムは、押出口の幅方向外側に大きく湾曲して押し出されることになり、場合よっては螺旋形状になる。大きく湾曲したり螺旋形状になった端部ゴムは、連続させて押出機の内部に円滑に戻すことが難しい。端部ゴムを押出機の内部に連続させて円滑に戻すことができなければ、端部ゴムを押出機の内部に戻す作業を頻繁に行う必要があるため、押出工程の作業効率が低下する。
【０００４】
また、押出したゴムをカッター刃などの表面積が大きい切断具を用いて切断すると、カッター刃に起因する比較的大きな流動抵抗が生じる。この流動抵抗よってゴムの切断面が歪むため、ゴムを所定形状に切断するには不利になる。一方、ワイヤを用いてゴムを切断する場合は、押出したゴムとワイヤとの接触面積が非常に小さいため、ワイヤに起因する流動抵抗は問題にならない。しかしながら、押出したゴムに押されてワイヤにたるみや変動が生じて、所定形状のゴム押出物が得られない場合がある。
【先行技術文献】
【特許文献】
【０００５】
【特許文献１】特開２００２−１９２５９３号公報
【発明の概要】
【発明が解決しようとする課題】
【０００６】
本発明の目的は、押出機から押出したゴムの幅方向端部を切断して所定形状のゴム押出物を得るとともに、切断した端部ゴムを連続的に押出機の内部に戻して使用する際に、ゴム押出物を精度よく所定形状に切断することができ、かつ、切断した端部ゴムを円滑に押出機に戻し易くしたゴム押出物の製造装置および方法を提供することにある。
【課題を解決するための手段】
【０００７】
上記目的を達成するため本発明のゴム押出物の製造装置は、ゴムを押し出す押出機と、この押出機の押出口の前方で前記押出口の幅方向端部に配置された切断具とを備えて、前記押出口からゴムが押し出されつつ前記切断具により切断されて所定形状のゴム押出物と端部ゴムとに分割され、前記所定形状のゴム押出物を連続的に前方に搬送する搬送機構と、前記端部ゴムを連続的に前記押出機の内部に戻すリターン機構とを有するゴム押出物の製造装置において、前記切断具が、前記押出口の前端で前記押出口の高さ方向に延在して張設される金属線であり、前記金属線を境界にして前記押出口が幅方向中央部を含む中央部領域と、幅方向中央部を含まない端部領域とに区画され、
前記押出口の高さ方向に対向して配置される剛体の支持部を有し、それぞれの前記支持部は前記押出口の正面視で前記押出口にオーバラップしない位置に設置されて前記金属線の前方側に当接し、前記端部領域の高さ方向の最大寸法が前記中央部領域の高さ方向の最大寸法よりも大きく、かつ、前記端部領域の単位幅方向寸法当たりの開口面積が前記中央部領域の単位幅方向寸法当たりの開口面積よりも大きく設定されていて、前記押出口から押し出されたゴムが前記金属線によって切断されて、前記中央部領域を通過したゴムが前記所定形状のゴム押出物に成形され、前記端部領域を通過したゴムが前記端部ゴムになる構成にしたことを特徴とする。
【０００８】
本発明のゴム押出物の製造方法は、押出機の押出口からゴムを押出しつつ、このゴムの幅方向端部を切断することにより、所定形状のゴム押出物と端部ゴムとに分割し、前記端部ゴムを連続的に前記押出機の内部に戻して使用するゴム押出物の製造方法において、前記押出口の押出方向前端で前記押出口の高さ方向に金属線を延在させて張設することにより、前記金属線を境界にして前記押出口を、幅方向中央部を含む中央部領域と、幅方向中央部を含まない端部領域とに区画して、前記押出口の高さ方向に対向して剛体の支持部を配置し、それぞれの前記支持部を前記押出口の正面視で前記押出口にオーバラップしない位置に設置して前記金属線の押出方向前方側に当接させ、前記端部領域の高さ方向の最大寸法を前記中央部領域の高さ方向の最大寸法よりも大きく、かつ、前記端部領域の単位幅方向寸法当たりの開口面積を前記中央部領域の単位幅方向寸法当たりの開口面積よりも大きく設定して、前記押出口から押し出したゴムを前記金属線によって切断し、前記中央部領域を通過させたゴムを前記所定形状のゴム押出物に成形し、前記端部領域を通過させたゴムを前記端部ゴムにすることを特徴とする。
【発明の効果】
【０００９】
本発明によれば、押出口の押出方向前端で押出口の高さ方向に延在させて張設した金属線を用いて押し出されたゴムを切断するので、ゴムに作用する金属線に起因する流動抵抗を最小限にできる。これに伴い、精度よく所定形状のゴム押出物を得るには有利になる。そして、押出口の高さ方向に対置したそれぞれの剛体の支持部を金属線の押出方向前方側に当接させることで、金属線が押出したゴムに押されても金属線にたるみや変動が生じることを回避できる。それ故、金属線を使用しながらも、ゴムを安定的に所定形状に切断することができる。
【００１０】
さらには、金属線により区画した端部領域の高さ方向の最大寸法を中央部領域の高さ方向の最大寸法よりも大きく、かつ、端部領域の単位幅方向寸法当たりの開口面積を中央部領域の単位幅方向寸法当たりの開口面積よりも大きく設定することで、端部領域を通過するゴムの流速と、中央部領域を通過するゴムの流速との差異が小さくなる。これに伴い、切断した端部ゴムが過度に湾曲して押し出されたり、螺旋形状になることを回避できる。そのため、端部ゴムを連続的に押出機の内部に戻し易くなり、生産性よく所定の形状のゴム押出物を得ることが可能になる。
【図面の簡単な説明】
【００１１】
【図１】本発明のゴム押出物の製造装置を側面視で例示する説明図である。
【図２】図１の製造装置を平面視で例示する説明図である。
【図３】図１の押出口の周辺を側面視で例示する説明図である。
【図４】図１の押出口の周辺を正面視で例示する説明図である。
【図５】図４の押出口を正面視で例示する説明図である。
【図６】図５の押出口から押し出されるゴムの押出口幅方向での流速分布を模式的に例示するグラフ図である。
【図７】押出口の変形例を正面視で示す説明図である。
【図８】押出口の別の変形例を正面視で示す説明図である。
【発明を実施するための形態】
【００１２】
以下、本発明のゴム押出物の製造装置および方法を図に示した実施形態に基づいて説明する。
【００１３】
図１〜図５に例示する本発明のゴム押出物の製造装置１は、押出機２からゴムＲを押出しつつ幅方向端部を切断することで、所定形状のゴム押出物Ｒｍを得るとともに、切断した端部ゴムＲｅを連続的に押出機２の内部に戻して使用する。この製造装置１は、ゴムＲを押し出す押出機２と、押出機２の押出口５の前方で押出口５の幅方向端部に配置される金属線６と、金属線６の前方側に当接して配置される剛体の支持部７と、押出口５の前方に配置される搬送機構１２と、押出機２の上方に配置されるリターン機構１３と、制御部１４とを備えている。搬送機構１２およびリターン機構１３としてはベルトコンベヤ等を用いる。押出機２、搬送機構１２およびリターン機構１３の動作は、制御部１４によって制御される。
【００１４】
押出機２は、筒状のシリンダ２ａの後方上方に材料投入口２ｂを有していて、材料投入口２ｂにはホッパ２ｃが接続されている。この実施形態では、材料投入口２ｂが端部ゴムＲｅの戻り口３になっている。押出機２の前端にはダイス４が取り付けられている。ダイス４には押出口５となる所定形状の開口が形成されている。リターン機構１３は、押出口５の上方位置から戻り口３（ホッパ２ａ）の上方位置まで延在している。シリンダ２ａにはスクリューが内設されている。
【００１５】
本発明では、押出したゴムＲを切断する切断具として金属線６を使用する。金属線６は、押出口５の前端で押出口５の高さ方向Ｈに延在して張設されている。金属線６としては鋼線ワイヤなどの各種ワイヤを使用することができる。金属線６の外径は例えば０．５ｍｍ以上２ｍｍ以下である。金属線６は、押出口５から押し出されたゴムＲに押されても実質的に伸びることがない強度、永久変形することがない剛性を有している。金属線６は複数のフィラメントを撚って形成した撚線構造の金属線６を採用することも、モノフィラメント構造の金属線６を採用することもできる。
【００１６】
押出口５の正面視では、金属線６を境界にして押出口５が幅方向中央部を含む中央部領域５ａと、幅方向中央部を含まない端部領域５ｂとに区画されている。尚、図中の矢印Ｆは押出機２（押出口５）の前方方向およびゴムＲの押出方向を示している。図中の矢印Ｗは押出機２（押出口５）およびゴムＲの幅方向、矢印Ｈは押出機２（押出口５）の高さ方向およびゴムＲの厚さ方向を示している。
【００１７】
製造装置１の構成を詳述すると、押出機２の前端面のダイス４の上方位置には、前方に突出する係止部９が設けられている。係止部９は先端部が拡径したピン体である。この係止部９は、上下移動機構１０によって上下方向（高さ方向Ｈ）に移動可能になっていて所望の上下位置で固定される。上下移動機構１０の動作は制御部１４により制御される。上下移動機構１０は任意で設けることができる。
【００１８】
支持体７は、押出口５の高さ方向Ｈに対向して配置されている。それぞれの支持体７は、押出口５の正面視で押出口５にオーバラップしない位置に設置されている。金属線６のたわみを抑制して安定して支持するために、それぞれの支持体７の高さ方向Ｈの離間距離は最小限にすることが好ましい。
【００１９】
この実施形態では、支持体７として、押出口５の幅方向Ｗに延在する金属製のプレートや棒状体が採用されて、ダイス４の前端面に固定されている。支持体７をダイス４ではなく、シリンダ２ａの前端面に直接固定することもできる。支持体７とダイス４とのすき間に金属線６が上下に挿通されている。金属線６の遊び（変動）を抑制するため、金属線６を挿通させる支持体７とダイス４とのすき間は最小限にすることが好ましく、このすき間は例えば、金属線６の外径の１００％以上１５０％以下、より好ましくは１００％超１２０％以下にする。
【００２０】
押出口５の前方下方には、押出口５の正面視で円弧状のガイド１１が配置されている。このガイド１１は例えば鋼材等の金属で形成されていて、押出口５の正面視で概ね係止部９を中心にした円弧状になっている。
【００２１】
ガイド１１の前方には、幅方向Ｗに間隔をあけて２台の張設機構８が配置されている。張設機構８としては例えば、エアシリンダ等の流体シリンダを採用することができる。この実施形態では、一本の金属線６の長手方向端部がそれぞれ、張設機構８に接続されている。一本の金属線６の長手方向中途が係止部９に掛け回されて折り返されることにより、金属線６は押出口５の幅方向両端部において押出口５の高さ方向Ｈに対して傾斜して延在している。押出口５の高さ方向Ｈに対する金属線６の傾斜角度Ａは例えば０以上４５°以下である。即ち、金属線６は押出口５の高さ方向Ｈに対して傾斜していなくてよい（傾斜角度Ａがゼロでもよい）。
【００２２】
係止部９で折り返された金属線６は、図３に例示するように側面視でガイド１１によって略９０°に屈曲されてそれぞれの張設機構８に接続されている。少なくとも一方の張設機構８を作動させて金属線６を前方方向Ｆへ引張ることで、金属線６を緊張させるテンションを常に作用させる。金属線６とガイド１１との接触摩擦を極力小さくするために、ガイド１１の表面をフッ素樹脂等の低摩擦材にして、或いは、ガイド１１の表面に金属線６を受けるローラ等を配置して低摩擦仕様にするとよい。
【００２３】
この実施形態では、それぞれの張設機構８がガイド１１の円弧状に沿って円滑に移動して所望の位置で固定できる構成になっている。したがって、係止部９の上下移動と、張設機構８のガイド１１に沿った移動とによって、金属線６を移動させることができる。これに伴い、金属線６の延在方向の押出口５の高さ方向Ｈに対する角度（傾斜角度Ａ）および金属線６の押出口５に対する幅方向位置が変更可能になっている。張設機構８の動作および移動は制御部１４により制御される。
【００２４】
本発明では、押出口５の形状が特徴の１つになっている。この実施形態では押出口５の形状は正面視で左右対称になっている。押出口５の幅方向中央部は高さ方向Ｈの寸法が一定（ｔ１）の開口であり、幅方向端部は円状（直径ｔ２）の開口になっている。押出口５の幅方向端部とは、押出口５の幅方向端から幅方向中央側に所定距離の位置までの範囲であり、この所定距離は例えば押出口５の幅方向Ｗの全長の５％〜２０％程度である。幅方向端部以外の範囲が幅方向中央部になる。金属線６により区画された押出口５の端部領域５ｂの高さ方向Ｈの最大寸法ｔ２は、中央部領域５ａの高さ方向Ｈの最大寸法ｔ１よりも大きくなっている。
【００２５】
加えて、端部領域５ｂの単位幅方向寸法当たりの開口面積Ｓｂが、中央部領域５ａの単位幅方向寸法当たりの開口面積Ｓａよりも大きく設定されている。この開口面積Ｓｂとは、端部領域５ｂの開口面積Ｓ２を、端部領域５ｂの高さ方向Ｈの中心位置での幅方向長さＬｂで除した数値である（Ｓｂ＝Ｓ２／Ｌｂ）。また、開口面積Ｓａとは、中央部領域５ａの開口面積Ｓ１を、中央部領域５ａの高さ方向Ｈの中心位置での幅方向長さＬａで除した数値である（Ｓａ＝Ｓ１／Ｌａ）。
【００２６】
次に、本発明のゴム押出物の製造方法の手順の一例を説明する。
【００２７】
まず、ゴムＲの材料となる所定量の未加硫の原料ゴムおよび配合剤をホッパ２ｃに投入して材料投入口２ｂを通じてシリンダ２ａの内部に入れる。シリンダ２ａの内部ではこれらの材料が回転するスクリューにより混合、混練されてゴムＲになる。未加硫のゴムＲは、ある程度柔らかくなって押出口５の断面形状に型付けされて押出口５からシート状に押し出される。
【００２８】
押出口５ではゴムＲが押出されつつ、金属線６によってゴムＲの幅方向端部が切断されて、所定形状のゴム押出物Ｒｍと端部ゴムＲｅとに分割される。詳述すると、金属線６により切断されて中央部領域５ａを通過したゴムＲは所定形状のゴム押出物Ｒｍに成形され、端部領域５ｂを通過したゴムＲは端部ゴムＲｅになる。
【００２９】
所定形状のゴム押出物Ｒｍは、搬送機構１２によって途切れることなく連続的に前方方向Ｆに搬送される。端部ゴムＲｅは、リターン機構１３によって途切れることなく連続的にホッパ２ｃに投入されて戻り口３（材料投入口２ｂ）を通じてシリンダ２ａの内部に入れられる。即ち、端部ゴムＲｅは再びシリンダ２ａの内部に戻される。シリンダ２ａに戻った端部ゴムＲｅは、材料投入口２ｂを通じてシリンダ２ａの内部に投入された新たな材料とともに混合、混練されて、押出口５から押し出されるゴムＲの一部として使用される。
【００３０】
本発明では、金属線６を用いてゴムＲを切断するので、ゴムＲと金属線６との接触面積が非常に小さくなり、金属線６に起因してゴムＲに作用する流動抵抗を最小限にできる。それ故、ゴムＲの切断面に過度な歪みが生じることがなく、ゴムＲを精度よく所定形状に切断することができる。
【００３１】
金属線６の前方側には、押出口５の高さ方向に対置した剛体の支持部７が当接しているので、押出したゴムＲに金属線６が押されても支持部７によって支持される。そのため、金属線６にたるみや変動が生じることを回避できる。これに伴い、ゴムＲを安定して切断することができるので、金属線６を使用しながらも、ばらつきを抑えて所定形状のゴム押出物Ｒを得ることができる。
【００３２】
加えて、本発明では上述したように押出口５の形状を特別に工夫している。図６の実線Ｄ１は、図５の押出口５を採用した本発明において、押し出されるゴムＲの押出口５の幅方向位置で流速Ｖを例示している。図６の破線Ｄ２は、従来技術として、図５の押出口５に対して幅方向全長に渡って高さ方向Ｈの寸法を一定（ｔ１）の開口にした場合のゴムＲの流速Ｖを例示している。図６の実線Ｄ１と破線Ｄ２のデータを取得した条件は、押出口５の形状が異なるだけでその他の条件は同じである。
【００３３】
図６に示すように、本発明によれば、中央部領域５ａでのゴムＲの流速Ｖは従来技術と差異がないが、端部領域５ｂでのゴムＲの流速Ｖが従来技術よりも増大する。これは、押出口５の幅方向端部の形状を特別に工夫したことによる効果である。
【００３４】
押出口５の幅方向端部は、押出口５を形成する上下壁面および一方側壁面により囲まれているが、押出口５の幅方向中央部は、押出口５を形成する上下壁面だけに囲まれている。そのため、従来技術では押出口５を形成する壁面に起因して、押し出すゴムＲに作用する流動抵抗は、押出口５の幅方向中央部に比して幅方向端部において大きくなる。
【００３５】
そこで本発明では、端部領域５ｂの高さ方向Ｈの最大寸法ｔ２を中央部領域５ａの高さ方向Ｈの最大寸法ｔ１よりも大きく、かつ、端部領域５ｂの単位幅方向寸法当たりの開口面積Ｓｂを中央部領域５ａの単位幅方向寸法当たりの開口面積Ｓａよりも大きく設定している。これにより、押出口５の幅方向端部において、押出口５を形成する壁面に起因してゴムＲに作用する流動抵抗を従来技術に比して小さくしている。その結果、本発明では端部領域５ｂを通過するゴムＲ（Ｒｅ）の流速と、中央部領域５ａを通過するゴムＲ（Ｒｍ）の流速との差異が従来技術に比して小さくなる。
【００３６】
その結果、本発明では端部ゴムＲｅにおける幅方向中央での流速Ｖ１と、端部領域５ｂと中央部領域５ａとの境界での流速Ｖ２との流速差が小さくなる。これに伴い、押し出された端部ゴムＲｅが幅方向外側に向かって大きく湾曲する、螺旋形状になるという問題が生じることを回避できる。
【００３７】
そのため本発明によれば、端部ゴムＲｅを途切れることなく連続的に押出機２（シリンダ２ａの内部）に円滑に戻し易くなる。仮に、端部ゴムＲｅを連続的に押出機２の内部に円滑に戻すことができなければ、端部ゴムＲｅを押出機２に戻す作業を頻繁に行う必要があり、押出工程を一時的に停止しなければならないこともある。本発明では、このような不具合を回避できるので、生産性よく所定の形状のゴム押出物Ｒｍを得ることが可能になる。
【００３８】
端部ゴムＲｅにおける上述した流速Ｖ１は例えば、上述した流速Ｖ２の９０％以上１００％以下に設定すると、端部ゴムＲｅを押出機２に連続的に円滑に戻し易くなる。尚、この比率が１００％超になると、金属線６により切断された端部ゴムＲｅが、押出口５の幅方向中央側に湾曲し易くなって、押し出された後でゴム押出物Ｒｍと接合することがある。端部ゴムＲｅとゴム押出物Ｒｍとが接合すると端部ゴムＲｅを押出機２に戻し難くなるので、端部ゴムＲｅの流速Ｖ１は、流速Ｖ２以下にすることが好ましい。
【００３９】
押出口５は図５に例示した形状に限定されず、上述した工夫をした様々な形状を採用することができる。例えば図７、図８に示す形状の押出口５を採用することもできる。図７に例示する押出口５は、幅方向端部が楕円状の開口になっている。図８に例示する押出口５は、幅方向端部の幅方向端面が円弧状になっていて、他の３面が直線になっている。上述した流速Ｖ１とＶ２との差異を小さくして、端部ゴムＲｅが過度に湾曲したり螺旋形状になることを回避するには、正面視で押出口５の幅方向端部を、曲線で形成された開口にすることが好ましく、具体的には円状または楕円状の開口にすることが好ましい。
【００４０】
押出口５の幅方向端部を円状または楕円状にすると、端部ゴムＲｅが過度に湾曲したり螺旋形状になることを回避する効果を得つつ、端部ゴムＲｅの量を抑えるには有利になる。即ち、押出口５の幅方向端部を円状または楕円状にすることで、端部ゴムＲｅの量を抑制できるので、押出工程に要する工数、エネルギ等を少なくできるメリットがある。
【００４１】
この実施形態のように支持部７が押出口５の幅方向Ｗに延在していると、金属線６の押出口５に対する幅方向位置や傾斜角度Ａを変更しても、変更した位置での金属線６の前方側に当接させて支持することができる。金属線６の幅方向位置や傾斜角度Ａの大きな変更に対応するには、支持部７を押出口５よりも幅方向Ｗに突出させて延在させた仕様にするとよい。
【００４２】
この実施形態では、ゴムＲの押出中に金属線６を移動させることができる。それ故、何らかの原因によって所定形状のゴム押出物Ｒｍを得ることができない場合、ゴムＲの押出中に金属線６の位置を修正することで、所定形状のゴム押出物Ｒｍを得ることも可能になる。
【００４３】
この実施形態では、端部領域５ｂが中央部領域５ａの幅方向両側に形成されているが、端部領域５ｂは中央部領域５ａの幅方向一方側のみに形成することもできる。即ち金属６を押出口５の幅方向端部の一方のみに配置することもできる。また、押出口５の幅方向端部の一方に配置する金属線６と他方に配置する金属線６とを別々の金属線６にすることもできる。
【符号の説明】
【００４４】
１  製造装置
２  押出機
２ａ  シリンダ
２ｂ  材料投入口
２ｃ  ホッパ
３  戻り口
３ａ  ホッパ
４  ダイス
５  押出口
５ａ  中央部領域
５ｂ  端部領域
６  金属線
７  支持部
８  張設機構
９  係止部
１０  上下移動機構
１１  ガイド
１２  搬送機構
１３  リターン機構
１４  制御部
Ｒ  ゴム
Ｒｍ  所定形状のゴム押出物
Ｒｅ  端部ゴム
【図１】
2018199282.tif 000003
【図２】
2018199282.tif 000004
【図３】
2018199282.tif 000005
【図４】
2018199282.tif 000006
【図５】
2018199282.tif 000007
【図６】
2018199282.tif 000008
【図７】
2018199282.tif 000009
【図８】
2018199282.tif 000010